(57)【要約】【課題】課題の一例として、選択された楽曲とメドレーを複数のユーザが同時に歌唱しようとした場合であっても、違和感なく相手が歌唱している楽曲と一緒に歌唱することが可能なメドレーを作成することができ、様々な形態のメドレーを楽しむことを希望しているユーザを満足させることができるカラオケ装置等を提供することにある。【解決手段】カラオケ装置であって、選択された演奏曲に対応する、コード情報を含む演奏曲情報が記憶される演奏曲情報記憶手段と、演奏曲に対応する演奏曲情報に含まれるコード情報を抽出するコード情報抽出手段と、演奏曲の出力順に変化するコード情報の変化パターンを抽出する変化パターン情報抽出手段と、コード情報の変化パターンと同一の変化パターンを有する他の演奏曲を演奏曲情報記憶手段から選別する演奏曲選別手段と、他の演奏曲および前記演奏曲を出力する出力手段とを備えることを特徴とする。【選択図】図４
2010224243.tif 000002
【特許請求の範囲】
【請求項１】
多数の演奏曲のうちから選択される所定の演奏曲を出力させるカラオケ装置であって、
選択された前記演奏曲に対応する、コード情報を含む演奏曲情報が記憶される演奏曲情報記憶手段と、
前記演奏曲情報記憶手段から選択された前記演奏曲に対応する前記演奏曲情報に含まれるコード情報を抽出するコード情報抽出手段と、
前記コード情報抽出手段によって抽出された前記コード情報から、前記演奏曲の出力順に変化する前記コード情報の変化パターンを抽出する変化パターン情報抽出手段と、
前記コード情報の変化パターンと同一の変化パターンを有する前記他の演奏曲を前記演奏曲情報記憶手段から選別する演奏曲選別手段と、
前記演奏曲選別手段によって選別された他の演奏曲および前記演奏曲を出力する出力手段と、
を備えることを特徴とするカラオケ装置。
【請求項２】
請求項１に記載のカラオケ装置であって、
前記演奏曲選別手段によって選別された前記他の演奏曲が複数ある場合に、前記出力手段に出力する前記他の演奏曲を複数の前記他の演奏曲から決定する決定手段を、
さらに備えることを特徴とするカラオケ装置。
【請求項３】
請求項１または２に記載のカラオケ装置であって、
前記演奏曲選別手段は、前記演奏曲における少なくとも一つの小節からなる区間毎に前記コード情報の変化パターンと同一の変化パターンを有する他の演奏曲を選別することを特徴とするカラオケ装置。
【請求項４】
請求項３に記載のカラオケ装置であって、
前記区間毎に、前記演奏曲と同一の変化パターンを有する前記他の演奏曲に対応する前記演奏曲情報を前記出力手段から入力し、表示する表示手段、をさらに有することを特徴とするカラオケ装置。
【請求項５】
請求項４に記載のカラオケ装置であって、
前記決定手段によって、前記表示手段に表示された前記区間毎の前記演奏曲情報に対応した前記他の演奏曲が決定され、
前記出力手段は、前記決定手段によって選択された前記区間毎の前記演奏曲を出力することを特徴とするカラオケ装置。
【請求項６】
請求項１乃至５の何れかに記載のカラオケ装置であって、
前記変化パターンは、前記コード情報間の根音の差分の変化量からなり、前記演奏曲選別手段は、前記コード情報間の根音の差分の変化量が同一の他の演奏曲を選別することを特徴とするカラオケ装置。
【請求項７】
請求項１乃至６の何れかに記載のカラオケ装置であって、
前記変化パターンは、前記コード情報の変化の仕方を示すコード進行であり、前記演奏曲選別手段は、前記コード情報の変化の仕方を示すコード進行が同一の他の演奏曲を選別することを特徴とするカラオケ装置。
【請求項８】
請求項１乃至７の何れかに記載のカラオケ装置であって、
前記出力手段は、前記演奏曲および前記他の演奏曲を前記変化パターンに合わせて同時に出力する放音手段を有することを特徴とするカラオケ装置。
【請求項９】
多数の演奏曲のうちから選択される所定の演奏曲を出力させるカラオケ装置の制御方法であって、
選択された前記演奏曲に対応する、コード情報を含む演奏曲情報が記憶される演奏曲情報記憶工程と、
前記演奏曲情報記憶工程において選択された前記演奏曲に対応する前記演奏曲情報に含まれるコード情報を抽出するコード情報抽出工程と、
前記コード情報抽出工程において抽出された前記コード情報から、前記演奏曲の出力順に変化する前記コード情報の変化パターンを抽出する変化パターン情報抽出工程と、
前記コード情報の変化パターンと同一の変化パターンを有する他の演奏曲を前記演奏曲情報記憶工程から選別する演奏曲選別工程と、
前記演奏曲選別工程において選別された他の演奏曲を出力する出力工程と、
を備えることを特徴とするカラオケ装置の制御方法。
【請求項１０】
多数の演奏曲のうちから選択される所定の演奏曲を出力させるカラオケ装置の制御プログラムにおいて、
選択された前記演奏曲に対応する、コード情報を含む演奏曲情報が記憶される演奏曲情報記憶手段、
前記演奏曲情報記憶手段から選択された前記演奏曲に対応する前記演奏曲情報に含まれるコード情報を抽出するコード情報抽出手段、
前記コード情報抽出手段によって抽出された前記コード情報から、前記演奏曲の出力順に変化する前記コード情報の変化パターンを抽出する変化パターン情報抽出手段、
前記コード情報の変化パターンと同一の変化パターンを有する他の演奏曲を前記演奏曲情報記憶手段から選別する演奏曲選別手段、
前記演奏曲選別手段によって選別された他の演奏曲を出力する出力手段、
として機能させることを特徴とするカラオケ装置の制御プログラム。
【請求項１１】
請求項１０に記載のカラオケ装置の制御プログラムがコンピュータに読み取り可能に記録されていることを特徴とする記録媒体。
【発明の詳細な説明】
【技術分野】
【０００１】
本発明は、カラオケ装置、カラオケ装置の制御方法、及びカラオケ装置の制御プログラムの技術分野に関する。
【背景技術】
【０００２】
近年、多数の演奏曲のうちから選択される演奏曲を出力させる音楽再生装置が知られている。例えば、カラオケボックス等で使用されるカラオケ装置である。このようなカラオケ装置では、予め記憶装置に記憶された多数のカラオケ演奏曲から選択されたカラオケ演奏曲の音楽情報を出力させると共に、そのカラオケ演奏曲の詞情報を含む映像をその出力に同期して画面に表示させることで、所望の歌のカラオ演奏を楽しむことができる。
【０００３】
このようなカラオケ装置において、例えば、「ロック」、「ポップス」あるいは「ディスコ」といった伴奏スタイルの変更に応じて伴奏テンポを変えるメドレー演奏を意図した自動伴奏を行うことができる自動伴奏装置（テンポ情報によってメドレー作成を制御する技術）が特許文献１に開示されている。
【０００４】
また、一緒にログインしているメンバーの採点結果や十八番情報によってメドレーを自動生成する技術が特許文献２に開示されている。
【先行技術文献】
【特許文献】
【０００５】
【特許文献１】特開平０６−２０２６６３号公報
【特許文献２】特開２００７−２９８６９０号公報
【発明の概要】
【発明が解決しようとする課題】
【０００６】
しかし、これらのカラオケ装置において作成されたメドレーは、選択された楽曲の互いの曲調が異なっていた。また、選択された楽曲とメドレーを同時に演奏できるような試みもされていなかった。
【０００７】
従って、作成された一つのメドレーを一人または複数のユーザが同時に歌唱し、全員で楽しむことはできるが、さらに意外性のあるメドレーを楽しむことを希望しているユーザを満足させることはできなかった。
【０００８】
そこで、本発明は上記の課題に鑑みて為されたもので、その目的の一例は、選択された楽曲とメドレーを複数のユーザが同時に歌唱しようとした場合であっても、違和感なく相手が歌唱している楽曲と一緒に歌唱することが可能なメドレーを作成することができ、様々な形態のメドレーを楽しむことを希望しているユーザを満足させることができるカラオケ装置、カラオケ装置の制御方法、及びカラオケ装置の制御プログラムを提供することにある。
【課題を解決するための手段】
【０００９】
上記課題を解決するために、請求項１に記載の発明は、多数の演奏曲のうちから選択される所定の演奏曲を出力させるカラオケ装置であって、選択された前記演奏曲に対応する、コード情報を含む演奏曲情報が記憶される演奏曲情報記憶手段と、前記演奏曲情報記憶手段から選択された前記演奏曲に対応する前記演奏曲情報に含まれるコード情報を抽出するコード情報抽出手段と、前記コード情報抽出手段によって抽出された前記コード情報から、前記演奏曲の出力順に変化する前記コード情報の変化パターンを抽出する変化パターン情報抽出手段と、前記コード情報の変化パターンと同一の変化パターンを有する他の演奏曲を前記演奏曲情報記憶手段から選別する演奏曲選別手段と、前記演奏曲選別手段によって選別された前記他の演奏曲および前記演奏曲を出力する出力手段とを備えることを特徴とする。
【００１０】
この構成によれば、カラオケ装置１６の演奏曲情報記憶手段としての演奏曲情報記憶部１０７に記憶されている演奏曲に対応する演奏曲情報にはコード情報（一例として、Ｃ、Ａｍ、ＡＭａｊ７等のコード情報がある）が含まれている（カラオケ情報提供サービス会社がサーバ装置２０にカラオケ情報の一部である演奏曲情報にコード情報を含ませてアップロードし、アップロードされた演奏曲情報をカラオケ装置が予めカラオケ装置の演奏曲情報記憶部１０７に記憶しておく）。
【００１１】
この演奏曲情報記憶部１０７に記憶されている演奏曲から、ユーザが歌唱したいと望む演奏曲が選択手段としての選択部１０１を介して（操作パネル４６、カラオケ装置１６の遠隔操作装置または遠隔入力装置としての電子装置２２、リモコン装置６４、携帯電話機２８等を介してユーザが選択した演奏曲に関する情報がカラオケ装置１６のＣＰＵ５０の選択部１０１に入力されて、）カラオケ装置１６が認識する。
【００１２】
そして、カラオケ装置１６のコード情報抽出手段としてのコード情報抽出部１０２によって、演奏曲がカラオケ装置で演奏される順番にコード情報が抽出される。抽出されたコード情報の変化パターンを変化パターン情報抽出手段としての変化パターン情報抽出部１０３が抽出する。演奏曲選別手段としての演奏曲選別部１０４が抽出されたコード情報と同一の変化パターンを有する演奏曲を演奏曲情報記憶部１０７に記憶されている演奏曲を検索し、選別する。
【００１３】
選別された演奏曲を出力手段としての出力部１０６から出力し、シンセサイザ３８、アンプミキサ４２を介してスピーカ４４から、放音する。また、映像出力制御部３２、ビデオミキサ３６を介して映像表示装置３０に選別された演奏曲に関する情報を表示する。
【００１４】
このようにして、請求項１に係る発明によれば、ユーザが歌唱しようとしている所望の演奏曲と曲調が同じである（コード情報の変化パターンが同一である）他の演奏曲を、カラオケ装置１６は自動的に選別することが可能になる。
【００１５】
また、カラオケ装置１６によって演奏される演奏曲を歌唱するユーザと、他の演奏曲に併せて歌唱するユーザが異なる場合には、違和感を感ぜずに自然な感覚で同時に歌唱することが可能になり、相手が歌唱している楽曲と一緒に違和感なく歌唱することが可能なメドレー（一例として、複数の他の演奏曲を繋げるメドレー）を作成することができ、様々な形態（一例として、複数の他の演奏曲が繋げられたメドレーには、演奏曲に曲調が同一または類似する他の演奏曲が決定されている）のメドレーを楽しむことを希望しているユーザを満足させることができる。
【００１６】
また、ユーザが演奏曲の歌唱を始め、歌唱中であっても歌唱中の演奏曲と曲調が同じである（コード情報の変化パターン（コード進行等）が同一である）演奏曲を、決定手段としての決定部１０６を介して（操作パネル４６、カラオケ装置１６の遠隔操作装置または遠隔入力装置としての電子装置２２、リモコン装置６４、携帯電話機２８等を介してユーザが選択した演奏曲に関する情報がカラオケ装置１６のＣＰＵ５０の決定部１０６に入力される）演奏曲を選択したユーザまたは他のユーザが所望の他の演奏曲を決定することが可能であり、曲調が同一の他の演奏曲を、違和感なく自然に途中から歌唱し始めることが可能なので、複数のユーザで同時に複数の演奏曲の歌唱をスムーズに開始し、歌唱を楽しむことができ、カラオケのアミューズメント性が飛躍的に向上する。
【００１７】
上記課題を解決するために、請求項２に記載の発明は、請求項１に記載のカラオケ装置であって、前記演奏曲選別手段によって選別された前記他の演奏曲が複数ある場合に、前記出力手段に出力する前記他の演奏曲を複数の前記他の演奏曲から決定する決定手段を、さらに備えることを特徴とする。
【００１８】
このようにして、請求項２に係る発明によれば、ユーザは、ユーザが所望している演奏曲と曲調が同じである（コード情報の変化パターン（コード進行等）が同一である）演奏曲が複数ある場合には、決定手段としての決定部１０６を介して（操作パネル４６、カラオケ装置１６の遠隔操作装置または遠隔入力装置としての電子装置２２、リモコン装置６４、携帯電話機２８等を介してユーザが選択した演奏曲に関する情報がカラオケ装置１６のＣＰＵ５０の決定部１０６に入力される）演奏曲を選択したユーザまたは他のユーザが所望の他の演奏曲を決定することが可能なので、他のユーザは同時に歌唱できる他の演奏曲を自由に選択でき、かつユーザ同士が違和感なく相手が歌唱している演奏曲と一緒に歌唱することが可能となり、ユーザの面白さ、楽しさ等のユーザの満足度を向上させることが可能になる。
【００１９】
上記課題を解決するために、請求項３に記載の発明は、請求項１または２に記載のカラオケ装置であって、前記演奏曲選別手段は、前記演奏曲における少なくとも一つの小節からなる区間毎に前記コード情報の変化パターンと同一の変化パターンを有する他の演奏曲を選別することを特徴とする。
【００２０】
この構成によれば、カラオケ装置１６の演奏曲選別手段としての演奏曲選別部１０４は、演奏曲における少なくとも一つの小節からなる区間毎に（いわゆる、Ａメロ、Ｂメロ、サビ等の区間）、コード情報の変化パターンが同一の他の演奏曲を演奏曲情報記憶部１０７に記憶されている演奏曲から検索し、選別する。
【００２１】
このようにして、請求項３に係る発明によれば、ユーザが歌唱しようとしている所望の演奏曲と曲調が同じである（コード情報の変化パターンが同一である）他の演奏曲を、いわゆる、Ａメロ、Ｂメロ、サビ等の区間毎にカラオケ装置１６は自動的に選別することが可能になる。
【００２２】
選別された他の演奏曲はＡメロ、Ｂメロ、サビ等の区間毎に異なる場合があるので、曲調が同じである（コード情報の変化パターン（コード進行等）が同一である）演奏曲を複数のユーザが同時に歌唱してカラオケ装置１６による演奏を楽しむことができるばかりではなく、Ａメロ、Ｂメロ、サビ等の区間毎に異なる演奏曲がメドレーとなって繋がって演奏され、メドレー歌唱することが可能になり、ユーザ同士の一体感、楽しみの満足度をさらに飛躍的に向上することが可能になる。
【００２３】
作成されたメドレー演奏曲を歌唱するユーザはＡメロ、Ｂメロ、サビ等の区間毎に歌いやすいムードで自然に他の演奏曲を歌唱することが可能になる。他の演奏曲を歌唱するユーザは、そのメドレー演奏曲の変化を十分に楽しむことが可能になる。
【００２４】
上記課題を解決するために、請求項４に記載の発明は、請求項３に記載のカラオケ装置であって、前記区間毎に、前記演奏曲と同一の変化パターンを有する前記他の演奏曲に対応する前記演奏曲情報を前記出力手段から入力し、表示する表示手段、をさらに有することを特徴とする。
【００２５】
この構成によれば、カラオケ装置１６の表示手段としての映像表示装置３０に、区間毎（Ａメロ、Ｂメロ、サビ等の区間毎に）に、演奏曲と同一の変化パターンを有する他の演奏曲に対応する演奏曲情報が表示される。
【００２６】
このようにして、請求項４に係る発明によれば、区間毎（Ａメロ、Ｂメロ、サビ等の区間毎に）に、他の演奏曲に対応する演奏曲情報の一例としての他の演奏曲の選曲番号、コード進行等（コードが演奏曲の演奏とともにどのように変化していくか（一例としてはコードが順番に表示される））が表示されるので、他のユーザは決定しようとする他の演奏曲を視覚で確認しながら確実に決定することができる。また、コード進行等を見ながら演奏曲および他の演奏曲をイメージしながら決定することができる。
【００２７】
さらに、区間（Ａメロ、Ｂメロ、サビ等の区間）のどの区間から、他の演奏曲の歌唱を開始することができるかを視覚的に確認しながら決定することができる。
【００２８】
上記課題を解決するために、請求項５に記載の発明は、請求項４に記載のカラオケ装置であって、前記決定手段によって、前記表示手段に表示された、前記区間毎の前記演奏曲情報に対応した前記他の演奏曲が決定され、前記出力手段は、前記決定手段によって選択された前記区間毎の前記演奏曲を出力することを特徴とする。
【００２９】
このようにして、請求項５に係る発明によれば、選別された演奏曲が複数ある場合には、Ａメロ、Ｂメロ、サビ等の区間毎にユーザは曲調が同一の他の演奏曲を前記決定手段によって決定することが可能である。作成されたメドレー演奏曲は、ユーザにとって好みの他の演奏曲のメドレーとなるので、他の演奏曲を歌唱するユーザは、そのメドレー演奏曲の変化を十分に楽しむことが可能になる。
【００３０】
上記課題を解決するために、請求項６に記載の発明は、請求項１乃至５の何れかに記載のカラオケ装置であって、前記変化パターンは、前記コード情報間の差分の変化量からなり、前記演奏曲選別手段は、前記コード情報間の差分の変化量が同一の他の演奏曲を選別することを特徴とする。
【００３１】
この構成によれば、カラオケ装置１６は、演奏曲に対応する演奏曲情報に含まれているコード情報（一例として、Ｃ、Ａｍ、ＡＭａｊ７等のコード情報がある）の変化が同一の他の演奏曲ではなく、コード情報間の根音の差分の変化量が同一（一例として、根音の差分がコード情報間で２度、３度、４度、２度と演奏曲の進行に伴って変化する場合には、最初の根音がＣの場合とＤの場合であっても、コード情報間の根音の差分の変化量が同一である）の他の演奏曲が選別される。
【００３２】
このようにして、請求項６に係る発明によれば、作成されたメドレー演奏曲は、ユーザにとって意外性がありながらも好みの他の演奏曲のメドレーとなり、しかも自然な感覚で演奏曲と他の演奏曲を歌唱することができ、他の演奏曲を歌唱するユーザは、そのメドレー演奏曲の変化を十分に楽しむことが可能になる。
【００３３】
また、Ａメロ、Ｂメロ、サビ等の区間毎にユーザは曲調が同一でありながら、コードの根音が異なる複数の演奏曲のメドレーを楽しむことが可能となり、カラオケ装置のエンターテインメント性が飛躍的に向上される事が可能になる。
【００３４】
上記課題を解決するために、請求項７に記載の発明は、請求項１乃至６の何れかに記載のカラオケ装置であって、前記変化パターンは、前記コード情報の変化の仕方を示すコード進行であり、前記演奏曲選別手段は、前記コード情報の変化の仕方を示すコード進行が同一の他の演奏曲を選別することを特徴とする。
【００３５】
この構成によれば、カラオケ装置１６は、演奏曲に対応する演奏曲情報に含まれているコード情報（一例として、Ｃ、Ａｍ、ＡＭａｊ７等のコード情報がある）の変化（一例として、演奏曲のコード進行がＣ、Ａｍ、Ｆ、Ｇの場合には他の演奏曲のコード進行もＣ、Ａｍ、Ｆ、Ｇと変化する）が同一の他の演奏曲の他の演奏曲が選別される。
【００３６】
このようにして、請求項７に係る発明によれば、作成されたメドレー演奏曲は、演奏曲と違和感なく歌唱できるメドレーとなることが可能になる。また、ユーザにとってＡメロ、Ｂメロ、サビ等の区間毎に好みの他の演奏曲のメドレーとなるので、ユーザは他の演奏曲をスムーズに歌唱し、そのメドレー演奏曲の変化を十分に楽しむことが可能になる。
【００３７】
上記課題を解決するために、請求項８に記載の発明は、請求項１乃至７の何れかに記載のカラオケ装置であって、前記出力手段は、前記演奏曲および前記他の演奏曲を前記変化パターンに合わせて同時に出力する放音手段を有することを特徴とする。
【００３８】
この構成によれば、カラオケ装置１６はユーザが歌唱しようとしている所望の演奏曲と、ユーザが歌唱しようとしている所望の演奏曲と曲調が同じである他の演奏曲をスピーカ４４から、同時に放音することが可能である。この場合に、ユーザ所望の演奏曲と、他の演奏曲とは、曲調が同じである（コード情報の変化パターンが同一である）ので、ユーザは違和感を憶えることなく、カラオケ装置１６で演奏される演奏曲および他の演奏曲に併せて歌唱することが可能になる。
【００３９】
また、カラオケ装置１６は、コード進行等の変化パターンが同一である演奏曲を他の演奏曲を同時に放音することが可能になるので、演奏曲を歌唱するユーザと他の演奏曲を歌うユーザとで、お互いの演奏曲および歌唱を違和感なく共有し、一体感を持ち、十分に楽しむことができる娯楽装置を供給することが可能になる。
【００４０】
上記課題を解決するために、請求項９に記載の発明は、多数の演奏曲のうちから選択される所定の演奏曲を出力させるカラオケ装置の制御方法であって、選択された前記演奏曲に対応する、コード情報を含む演奏曲情報が記憶される演奏曲情報記憶工程と、前記演奏曲情報記憶工程において選択された前記演奏曲に対応する前記演奏曲情報に含まれるコード情報を抽出するコード情報抽出工程と、前記コード情報抽出工程において抽出された前記コード情報から、前記演奏曲の出力順に変化する前記コード情報の変化パターンを抽出する変化パターン情報抽出工程と、前記コード情報の変化パターンと同一の変化パターンを有する他の演奏曲を前記演奏曲情報記憶工程から選別する演奏曲選別工程と、前記演奏曲選別工程において選別された他の演奏曲を出力する出力工程と、を備えることを特徴とする。
【００４１】
このようにして、請求項９に係る発明によれば、ユーザが歌唱しようとしている所望の演奏曲と曲調が同じである（コード情報の変化パターンが同一である）他の演奏曲を、カラオケ装置１６は自動的に選別することが可能になる。
【００４２】
また、カラオケ装置１６によって演奏される演奏曲を歌唱するユーザと、他の演奏曲に併せて歌唱するユーザが異なる場合には、違和感を感ぜずに自然な感覚で同時に歌唱することが可能になり、相手が歌唱している楽曲と一緒に違和感なく歌唱することが可能なメドレーを作成することができ、様々な形態のメドレーを楽しむことを希望しているユーザを満足させることができる。
【００４３】
また、ユーザが演奏曲の歌唱を始め、歌唱中であっても歌唱中の演奏曲と曲調が同じである（コード情報の変化パターンが同一である）演奏曲を、決定手段としての決定部１０６を介して（操作パネル４６、カラオケ装置１６の遠隔操作装置または遠隔入力装置としての電子装置２２、リモコン装置６４、携帯電話機２８等を介してユーザが選択した演奏曲に関する情報がカラオケ装置１６のＣＰＵ５０の決定部１０６に入力される）演奏曲を選択したユーザまたは他のユーザが所望の他の演奏曲を決定することが可能であり、曲調が同一の他の演奏曲を、違和感なく自然に途中から歌唱し始めることが可能なので、複数のユーザで同時に複数の演奏曲の歌唱をスムーズに開始することができ、歌唱を楽しむことができ、カラオケのアミューズメント性が飛躍的に向上する。
【００４４】
上記課題を解決するために、請求項１０に記載の発明は、多数の演奏曲のうちから選択される所定の演奏曲を出力させるカラオケ装置の制御プログラムにおいて、選択された前記演奏曲に対応する、コード情報を含む演奏曲情報が記憶される演奏曲情報記憶手段、前記演奏曲情報記憶手段から選択された前記演奏曲に対応する前記演奏曲情報に含まれるコード情報を抽出するコード情報抽出手段、前記コード情報抽出手段によって抽出された前記コード情報から、前記演奏曲の出力順に変化する前記コード情報の変化パターンを抽出する変化パターン情報抽出手段、前記コード情報の変化パターンと同一の変化パターンを有する他の演奏曲を前記演奏曲情報記憶手段から選別する演奏曲選別手段、前記演奏曲選別手段によって選別された他の演奏曲を出力する出力手段、として機能させることを特徴とする。
【００４５】
上記課題を解決するために、請求項１１に記載の発明は、請求項１０に記載のカラオケ装置の制御プログラムがコンピュータに読み取り可能に記録されていることを特徴とする記録媒体である。
【発明の効果】
【００４６】
本発明によれば、ユーザが歌唱しようとしている所望の演奏曲と曲調が同じである（コード情報の変化パターンが同一である）他の演奏曲を、カラオケ装置１６は自動的に選別することが可能になる。
【００４７】
また、カラオケ装置１６によって演奏される演奏曲を歌唱するユーザと、他の演奏曲に併せて歌唱するユーザが異なる場合には、違和感を感ぜずに自然な感覚で同時に歌唱することが可能になり、相手が歌唱している楽曲と一緒に違和感なく歌唱することが可能なメドレー（一例として、複数の他の演奏曲を繋げるメドレー）を作成することができ、様々な形態（一例として、複数の他の演奏曲が繋げられたメドレーには、演奏曲に曲調が同一または類似する他の演奏曲が決定されている）のメドレーを楽しむことを希望しているユーザを満足させることができる。
【００４８】
また、ユーザが演奏曲の歌唱を始め、歌唱中であっても歌唱中の演奏曲と曲調が同じである（コード情報の変化パターン（コード進行等）が同一である）演奏曲を、決定手段としての決定部１０６を介して（操作パネル４６、カラオケ装置１６の遠隔操作装置または遠隔入力装置としての電子装置２２、リモコン装置６４、携帯電話機２８等を介してユーザが選択した演奏曲に関する情報がカラオケ装置１６のＣＰＵ５０の決定部１０６に入力される）演奏曲を選択したユーザまたは他のユーザが所望の他の演奏曲を決定することが可能であり、曲調が同一の他の演奏曲を、違和感なく自然に途中から歌唱し始めることが可能なので、複数のユーザで同時に複数の演奏曲の歌唱をスムーズに開始して歌唱を楽しむことができ、カラオケのアミューズメント性が飛躍的に向上する。
【００４９】
また、ユーザは、ユーザが所望している演奏曲と曲調が同じである（コード情報の変化パターン（コード進行等）が同一である）演奏曲が複数ある場合には、決定手段としての決定部１０６を介して（操作パネル４６、カラオケ装置１６の遠隔操作装置または遠隔入力装置としての電子装置２２、リモコン装置６４、携帯電話機２８等を介してユーザが選択した演奏曲に関する情報がカラオケ装置１６のＣＰＵ５０の決定部１０６に入力される））演奏曲を選択したユーザまたは他のユーザが所望の他の演奏曲を決定することが可能なので、他のユーザは同時に歌唱できる他の演奏曲を自由に選択でき、かつユーザ同士が違和感なく相手が歌唱している演奏曲と一緒に歌唱することが可能となり、ユーザの面白さ、楽しさ等のユーザの満足度を向上させることが可能になる。
【００５０】
また、ユーザが歌唱しようとしている所望の演奏曲と曲調が同じである（コード情報の変化パターンが同一である）他の演奏曲を、いわゆる、Ａメロ、Ｂメロ、サビ等の区間毎にカラオケ装置１６は自動的に選別することが可能になる。
【００５１】
また、選別された他の演奏曲はＡメロ、Ｂメロ、サビ等の区間毎に異なる場合があるので、曲調が同じである（コード情報の変化パターン（コード進行等）が同一である）演奏曲を複数のユーザが同時に歌唱してカラオケ装置１６による演奏を楽しむことができるばかりではなく、Ａメロ、Ｂメロ、サビ等の区間毎に異なる演奏曲がメドレーとなって繋がって演奏され、メドレー歌唱することが可能になり、ユーザ同士の一体感、楽しみの満足度をさらに飛躍的に向上することが可能になる。
【００５２】
また、作成されたメドレー演奏曲を歌唱するユーザはＡメロ、Ｂメロ、サビ等の区間毎に歌いやすいムードで自然に他の演奏曲を歌唱することが可能になる。このように他の演奏曲を歌唱するユーザは、そのメドレー演奏曲の変化を十分に楽しむことが可能になる。
区間毎（Ａメロ、Ｂメロ、サビ等の区間毎に）に、他の演奏曲に対応する演奏曲情報の一例としての他の演奏曲の選曲番号、コード進行等（コードが演奏曲の演奏とともにどのように変化していくか（一例としてはコードが順番に表示される））が表示されるので、他のユーザは決定しようとする他の演奏曲を視覚で確認しながら確実に決定することができる。また、コード進行等を見ながら演奏曲および他の演奏曲をイメージしながら決定することができる。
【００５３】
また、区間（Ａメロ、Ｂメロ、サビ等の区間）のどの区間から、他の演奏曲の歌唱を開始することができるかを視覚的に確認しながら決定することができる。
【００５４】
また、選別された演奏曲が複数ある場合には、Ａメロ、Ｂメロ、サビ等の区間毎にユーザは曲調が同一の他の演奏曲を前記決定手段によって決定することが可能である。作成されたメドレー演奏曲は、ユーザにとって好みの他の演奏曲のメドレーとなるので、他の演奏曲を歌唱するユーザは、そのメドレー演奏曲の変化を十分に楽しむことが可能になる。
【００５５】
また、作成されたメドレー演奏曲は、ユーザにとって意外性がありながらも好みの他の演奏曲のメドレーとなり、しかも自然な感覚で演奏曲と他の演奏曲を歌唱することができ、他の演奏曲を歌唱するユーザは、そのメドレー演奏曲の変化を十分に楽しむことが可能になる。
【００５６】
また、Ａメロ、Ｂメロ、サビ等の区間毎にユーザは曲調が同一でありながら、コードの根音が異なる複数の演奏曲のメドレーを楽しむことが可能となり、カラオケ装置のエンターテインメント性が飛躍的に向上される事が可能になる。
【００５７】
また、演奏曲に対応する演奏曲情報に含まれているコード情報（一例として、Ｃ、Ａｍ、ＡＭａｊ７等のコード情報がある）の変化（一例として、演奏曲のコード進行がＣ、Ａｍ、Ｆ、Ｇの場合には他の演奏曲のコード進行もＣ、Ａｍ、Ｆ、Ｇと変化する）が同一の他の演奏曲の他の演奏曲が選別される。
【００５８】
また、作成されたメドレー演奏曲は、演奏曲と違和感なく歌唱できるメドレーとなることが可能になる。また、ユーザにとってＡメロ、Ｂメロ、サビ等の区間毎に好みの他の演奏曲のメドレーとなるので、ユーザは他の演奏曲をスムーズに歌唱し、そのメドレー演奏曲の変化を十分に楽しむことが可能になる。
【００５９】
また、カラオケ装置１６はユーザが歌唱しようとしている所望の演奏曲と、ユーザが歌唱しようとしている所望の演奏曲と曲調が同じである他の演奏曲をスピーカ４４から、同時に放音することが可能である。この場合に、ユーザ所望の演奏曲と、他の演奏曲とは、曲調が同じである（コード情報の変化パターンが同一である）ので、ユーザは違和感を憶えることなく、カラオケ装置１６の演奏と、演奏される演奏曲および他の演奏曲に併せて歌唱することが可能になる。
【００６０】
また、カラオケ装置１６は、コード進行等の変化パターンが同一である演奏曲を他の演奏曲を同時に放音することが可能になるので、演奏曲を歌唱するユーザと他の演奏曲を歌うユーザとで、お互いの演奏曲および歌唱を違和感なく共有し、一体感を持ち、十分に楽しむことができる娯楽装置を供給することが可能になる。
【図面の簡単な説明】
【００６１】
【図１】本実施形態におけるシステム構成の一例を示す図である。
【図２】本実施形態におけるカラオケ装置のブロック図の一例である。
【図３】本実施形態におけるカラオケ装置の機能ブロック図の一例である。
【図４】本実施形態における動作を説明するフローチャートの一例である。
【図５】本実施形態における表示画面の一例である。
【発明を実施するための形態】
【００６２】
以下、本発明の最良の実施形態を図面に基づいて説明する。なお、本発明は、有線または無線による電子通信回線を通じて情報をダウンロードできる全ての電子情報機器に対して適用することも可能である。
【００６３】
［１．システム構成の一例］
図１は、本発明が好適に適用されるカラオケシステム１０を説明するブロック図である。この図１に示すように、カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ本発明の一実施例である１台乃至は複数台ずつ（図１では１台ずつ）のカラオケ装置１６ａ、１６ｂ、１６ｃ、・・・（以下、特に区別しない場合には単にカラオケ装置１６と称する）が設置されている。
【００６４】
これら複数のカラオケ装置１６は、ルータ１７を介して公衆電話回線等による通信回線１８に接続されており、同じくその通信回線１８に接続されたカラオケサービス提供会社のサーバ装置（センタ装置）２０との相互間でその通信回線１８を介して情報の通信が可能になっている。
【００６５】
このカラオケサービス提供会社のサーバ装置２０は、カラオケ情報（楽曲データ）、背景映像情報、曲間情報等のデジタルコンテンツ（Digital Contents）の保管や入出力管理の基本的な制御を行うサーバであり、通信回線１８を介してカラオケ装置１６に定期的にコンテンツの配信を行うと共に、そのカラオケ装置１６からの要求に応じて所定の機能制御プログラムを送信するものである。
【００６６】
また、カラオケシステム１０は、複数の電子装置２２ａ、２２ｂ、２２ｃ、・・・（以下、特に区別しない場合には単に電子装置２２と称する）を備えており、カラオケ装置１６の利用に際して、各利用者（グループ）毎に１台ずつの電子装置２２が貸与され、各個室１４において後述するようにカラオケ装置１６の遠隔操作装置として用いられるようになっている。
【００６７】
店舗１２内には複数のカラオケ装置１６を相互に接続するＬＡＮ２４が敷設されており、電子装置２２からのカラオケ装置１６への入力は、所定のアクセスポイント２６及びＬＡＮ２４を介したＬＡＮ通信等により行われる。
【００６８】
また、カラオケシステム１０は、所定のアプリがインストールされることによりカラオケ装置１６の遠隔操作装置等として機能する複数の携帯電話機２８ａ、２８ｂ、２８ｃ、・・・（以下、特に区別しない場合には単に携帯電話機２８と称する）を備えている。これら携帯電話機２８は、例えば、前記カラオケ装置１６によりカラオケ演奏を行う各利用者の個人所有に係るものである。
【００６９】
図２は、本実施例のカラオケ装置１６の構成を例示するブロック線図である。
【００７０】
この図２に示すように、カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音声入力装置であるマイクロフォン４０と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、電子装置２２やリモコン装置６４等の入力装置からのリモコン信号を受信するためのリモコン受信部６２とを、備えて構成されている。
【００７１】
映像出力制御部３２は、ＣＰＵ５０において生成された歌詞文字映像等の文字映像（テロップ）を出力する文字映像出力装置として機能する他に、映像表示装置３０による種々の映像表示を制御する表示制御装置として機能する。
【００７２】
また、映像情報デコーダ３４は、利用者が歌詞を参照しながら歌を歌う際にハードディスク５６に記憶された背景映像情報に基づいて所定の背景映像を再生（デコード）する背景映像再生装置である。このような背景映像情報に基づいて映像情報デコーダ３４により再生された背景映像は、ビデオミキサ３６へ送られる。
【００７３】
また、ビデオミキサ３６は、ＣＰＵ５０において生成され且つ映像出力制御部３２から出力される文字映像と、映像情報デコーダ３４により再生される背景映像とを合成して前記映像表示装置３０に表示させる映像合成装置である。
【００７４】
シンセサイザ３８は、ハードディスク５６から読み出されて転送されるカラオケ演奏曲の演奏情報に基づいて楽器の演奏信号等の音楽信号を生成する音源である。
【００７５】
この演奏情報は、例えば、ＭＩＤＩ（Musical Instrument Digital Interface）形式のデータであり、そのＭＩＤＩデータに基づいてシンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されてスピーカ４４から出力される。
【００７６】
操作パネル４６は、カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。
【００７７】
また、カラオケ装置１６には、操作パネル４６の一部機能を遠隔で実行するための入力装置として機能するリモコン装置６４が備えられている。リモコン受信部６２は、そのリモコン装置６４から送信されるリモコン信号を受信してＣＰＵ５０へ供給する。
【００７８】
また、カラオケ装置１６と電子装置２２との対応付け処理もリモコン受信部６２を介して行われ、そのようにしてカラオケ装置１６に対応付けられた電子装置２２も同様に入力装置として機能する。
【００７９】
また、前述のように、カラオケ装置１６に対する情報送信機能を有する携帯電話機２８も同様に入力装置として機能する。なお、本実施例においては、カラオケ装置１６の入力装置として機能する電子装置２２、携帯電話機２８、及びリモコン装置６４等は、そのカラオケ装置１６の一部として備えられたものとして以下の説明を行う。
【００８０】
ＣＰＵ５０は、ＲＡＭ５４の一時記憶機能を利用しつつＲＯＭ５２に予め記憶された所定のプログラムに基づいて電子情報を処理・制御する所謂マイクロコンピュータである。
【００８１】
電子装置２２やリモコン装置６４等により所定のカラオケ演奏曲が選曲された場合、その選曲されたカラオケ演奏曲をＲＡＭ５４に設けられた予約曲テーブルに登録する。
【００８２】
また、その予約曲テーブルの演奏順に従ってハードディスク５６からＲＡＭ５４に選曲されたカラオケ演奏曲の演奏情報及び歌詞情報等を読み出し、カラオケ演奏曲の演奏が進行するのに応じてそのＲＡＭ５４からシンセサイザ３８へ演奏情報を送信し、歌詞情報に基づいて歌詞文字映像を生成して映像出力制御部３２へ送り、選曲時には曲名文字映像を生成して映像出力制御部３２へ送り、映像情報デコーダ３４を制御して所定の背景映像を再生させる。
【００８３】
カラオケ演奏が行われていない間、すなわち曲間においては、新譜情報、選曲ランキング、店舗広告等の曲間情報を出力させ、通信回線１８を介したサーバ装置２０との間の情報通信制御等の基本的な制御に加えて、後述するカラオケのメドレーの自動作成を実行する。
【００８４】
モデム５８は、カラオケ装置１６を公衆電話回線等による通信回線１８に接続するための装置である。
【００８５】
ＣＰＵ５０から出力されるディジタル信号をアナログ信号に変換して通信回線１８に送り出すと共に、その通信回線１８を介して伝送されるアナログ信号をディジタル信号に変換してＣＰＵ５０に供給する処理を実行する。
【００８６】
なお、店舗１２に備えられた複数のカラオケ装置１６のうち何れかのカラオケ装置１６がルータ１７の機能を備えてマスターコマンダとして通信回線１８に接続されてもよい。
【００８７】
この場合、モデム５８はそのマスターコマンダとして機能するカラオケ装置１６に必要とされるが、マスターコマンダを介してサーバ装置２０との間で情報の通信を行う他のカラオケ装置１６には必ずしも設けられなくともよい。
【００８８】
ＬＡＮポート６０は、カラオケ装置１６がＬＡＮ２４を介して他のカラオケ装置１６や電子装置２２等の他の機器と接続するための接続器である。
【００８９】
カラオケ装置１６は、そのようにＬＡＮ２４を介して接続されることで、他のカラオケ装置１６や電子装置２２等の他の機器との間で情報の送受信が可能となる。
【００９０】
例えば、アクセスポイント２６を介して受信される電子早見本装置２２からの選曲入力を受け付けてＲＡＭ５４に設けられた予約曲テーブルに記憶し、そのアクセスポイント２６を介してカラオケ装置１６から電子装置２２へ所定の情報を送信するなど、電波を介してカラオケ装置１６と電子装置２２との間において相互の情報のやりとりが実行される。
【００９１】
ハードディスク５６には、カラオケ演奏曲を出力させるための多数のカラオケデータ（楽曲データ）を記憶するカラオケデータベース１２８及び背景映像を出力させるための複数の背景映像情報（映像データ）を記憶する背景映像データベース１３０をはじめとする各種データベースが設けられている。
【００９２】
カラオケボックス等の店舗にそれぞれ備えられた複数のカラオケ装置１６のうち所定のカラオケ装置１６（例えばカラオケ装置１６ａ）は、モデム５８を介して通信回線１８に接続されており、複数のカラオケ装置１６によって常に新しい曲が演奏可能とされるように、或いは常に新しい背景映像が出力可能とされるように、随時新たな楽曲データや映像データ等がサーバ装置２０から通信回線１８を介して配信され、ハードディスク５６のカラオケデータベース１２８等に記憶される。
【００９３】
また、そのようにしてサーバ装置２０から情報を取得したカラオケ装置１６ａとその他のカラオケ装置１６との間でＬＡＮ２４を介した通信が行われ、各カラオケ装置１６のハードディスク５６に記憶される情報が共有され、カラオケデータベース１２８や背景映像データベース１３０等の内容が同一のものとなる。
【００９４】
カラオケデータベース１２８には、カラオケ装置１６のカラオケ演奏に用いられる多数（例えば、数万曲）のカラオケ情報が記憶されている。このカラオケ情報は、例えば、シンセサイザ３８により所定の出力音（楽器の演奏音）を生成するための演奏情報、その演奏曲の出力と併行してその演奏曲の歌詞文字映像を表示させるための歌詞情報、演奏曲の出力と併行してその歌詞文字映像を順次色替表示させるための歌詞色替情報、及びその歌詞文字映像の背面側レイヤに表示される背景映像を指定する背景映像指定情報等から成るものであり、コンテンツＩＤである各演奏曲に固有の選曲番号により識別される。
【００９５】
また、背景映像データベース１３０には、映像情報デコーダ３４により所定の映像を再生するための複数の背景映像情報が記憶されている。この背景映像情報は、例えば、ＭＰＥＧ（Moving Picture Experts Group）形式のデータであり、各映像情報に固有の識別情報により識別される。
【００９６】
［２．カラオケ装置の処理機能ブロックの説明］
ここで、本発明の機能を発揮するための構成について、図３に示す機能ブロック図を用いて説明する。
【００９７】
カラオケ装置１６の演奏曲情報記憶部１０７は、演奏曲に対応する演奏曲情報にコード情報（一例として、Ｃ、Ａｍ、ＡＭａｊ７等のコード情報がある）を含ませて記憶する。
【００９８】
これはカラオケ情報提供サービス会社等の会社がサーバ装置２０にカラオケ情報の一部である演奏曲情報にコード情報を含ませてアップロードするので、カラオケ装置１６はアップロードされた演奏曲情報を予めカラオケ装置１６の演奏曲情報記憶部１０７にダウンロードして記憶しておく。
【００９９】
カラオケ装置１６の選択部１０１は、この演奏曲情報記憶部１０７に記憶されている演奏曲から、ユーザが歌唱したいと望む演奏曲が選択部１０１を介して（操作パネル４６、カラオケ装置１６の遠隔操作装置または遠隔入力装置としての電子装置２２、リモコン装置６４、携帯電話機２８等を介してユーザが選択した演奏曲に関する情報がカラオケ装置１６のＣＰＵ５０の選択部１０１に入力され、）カラオケ装置１６が認識する。
【０１００】
カラオケ装置１６のコード情報抽出部１０２は、演奏曲がカラオケ装置１６で演奏される順番にコード情報を抽出する。
【０１０１】
カラオケ装置１６の変化パターン情報抽出部１０３は、コード情報抽出部１０２によって抽出されたコード情報の変化パターンを抽出する。コード情報の変化パターンは演奏曲における少なくとも一つの小節からなる区間毎に抽出されるが、これに限定されるわけではなく、演奏曲の任意の区間または全体を単位としてコード情報の変化パターンを抽出してもよい。
【０１０２】
また、変化パターンは、コード情報の変化の仕方を示すコード進行であってもよいし、コード情報間の差分の変化量であってもよい。
【０１０３】
カラオケ装置１６の演奏曲選別部１０４は、コード情報の変化の仕方を示すコード進行が同一の他の演奏曲、または、コード情報間の差分の変化量が同一の他の演奏曲を演奏曲情報記憶部１０７で検索することによって選別する。
【０１０４】
選別される演奏曲は一曲とは限られず、複数の演奏曲が選別される場合もある。
【０１０５】
演奏曲選別部１０４は、演奏曲における少なくとも一つの小節からなる区間毎にコード情報の変化パターンと同一の変化パターンを有する他の演奏曲を選別する。
【０１０６】
出力部１０５は、少なくとも一つ以上の他の演奏曲に対応する演奏曲情報の一例としての他の演奏曲の選曲番号、コード進行等（コードが演奏曲の演奏とともにどのように変化していくか（一例としてはコードが順番に表示される））が映像表示装置３０に等に表示されるように出力する。
【０１０７】
また、出力部１０６は、選別された演奏曲を出力し、シンセサイザ３８、アンプミキサ４２を介してスピーカ４４から放音されるように出力する。
【０１０８】
決定部１０６は、演奏曲における少なくとも一つの小節からなる区間毎に（いわゆる、Ａメロ、Ｂメロ、サビ等の区間）、コード情報の変化パターンが同一の他の演奏曲を一つずつ決定し、メドレーされる他の演奏曲を決定する。
【０１０９】
メドレーされる他の演奏曲の決定は、一例として、映像表示装置３０に等に表示される他の演奏曲を見ながら、ユーザが、操作パネル４６、カラオケ装置１６の遠隔操作装置または遠隔入力装置としての電子装置２２、リモコン装置６４、携帯電話機２８等を介してユーザが決定した演奏曲に関する情報がカラオケ装置１６のＣＰＵ５０の決定部１０６に入力されることによって決定される。
【０１１０】
このように本発明によれば、一人の人が、歌っている間、もう一人の人が、コード進行等が同じなため、気持ちよく割り込め、より自由度の高く、意外性の高いメドレーの作成ができる。
【０１１１】
［３．処理動作を示すフローチャートの一例］
次に、図４を用いて、カラオケ装置１６において、カラオケにて、選曲された楽曲の、Ａメロ、Ｂメロ、サビのそれぞれの部分のコード進行を調べ、それぞれの区間にて、同じコード進行の別の楽曲を自動で検索し、区間毎に違う楽曲を割り当て、つなぎ合わせ、メドレーを作り、元々選曲された楽曲と同時に、出来上がったメドレー楽曲を歌えるしくみの動作概要を説明する。
【０１１２】
なお、本発明を適用した場合において実現され得る具体的な処理手順である以下に示す処理手順は、一例であってこれ以外にも実現され得る処理手順は無数に存在する。
【０１１３】
まず、図４のステップＳ１において、この演奏曲情報記憶部１０７に記憶されている演奏曲から、ユーザが歌唱したいと望む演奏曲が選択手段としての選択部１０１を介して（操作パネル４６、カラオケ装置１６の遠隔操作装置または遠隔入力装置としての電子装置２２、リモコン装置６４、携帯電話機２８等を介してユーザが選択した演奏曲に関する情報がカラオケ装置１６のＣＰＵ５０の選択部１０１に入力される）カラオケ装置１６の選択部１０１が認識する。そして、選択部１０１が認識した選択された演奏曲がコード情報抽出部１０２へ転送される。
【０１１４】
次に、ステップＳ２において、カラオケ装置１６のコード情報抽出部１０２が、ステップＳ１において選択された演奏曲に対応する演奏曲情報に含まれるコード情報を演奏曲情報記憶部１０７からカラオケ装置１６で演奏される順番に抽出する。
【０１１５】
次に、ステップＳ３において、カラオケ装置１６の変化パターン情報抽出部１０３は、演奏曲における少なくとも一つの小節からなる区間毎に（いわゆる、Ａメロ、Ｂメロ、サビ等の区間）、コード情報の変化パターン情報を抽出する。
【０１１６】
ここで、コード情報の変化パターン情報には、演奏曲に対応する演奏曲情報に含まれているコード情報（一例として、Ｃ、Ａｍ、ＡＭａｊ７等のコード情報がある）そのものの変化（コード進行）だけではなく、コード情報間の根音の差分の変化量（一例として、根音の差分がコード情報間で２度、３度、４度、２度と演奏曲の進行に伴って変化する場合）をも含み、この場合には、最初の根音がＣの場合とＤの場合であっても、コード情報間の根音の差分の変化量は変化パターン情報として同一となる。
【０１１７】
次に、ステップＳ４において、カラオケ装置１６の演奏曲選別部１０４は、コード情報の変化の仕方を示すコード進行、または、コード情報間の差分の変化量が同一の他の演奏曲を演奏曲情報記憶部１０７において（検索し）、選別する。
【０１１８】
次に、ステップＳ５において、ステップＳ４においてカラオケ装置１６の演奏曲選別部１０４によって選別された、区間毎（Ａメロ、Ｂメロ、サビ等の区間毎に）の他の演奏曲に対応する演奏曲情報の一例としての他の演奏曲の選曲番号、コード進行等（コードが演奏曲の演奏とともにどのように変化していくか（一例としてはコードが順番に表示される））が、出力部１０５を介して映像表示装置３０等に表示されるので、ユーザは決定しようとする他の演奏曲を視覚で確認しながら決定する。
【０１１９】
他の演奏曲が決定されると、カラオケ装置１６は、決定された他の演奏曲をメドレーとして繋ぎ、ユーザが歌唱しようとしている所望の演奏曲と、ユーザが歌唱しようとしている所望の演奏曲と曲調が同じである他の演奏曲をスピーカ４４から、同時に放音する。
【０１２０】
このように本発明によれば、一人の人が、歌っている間、もう一人の人が、コード進行等が同じなため、気持ちよく割り込め、より自由度の高く、意外性の高いメドレーの作成ができる。
【０１２１】
［４．映像表示装置３０等に表示される画面の一例］
次に、映像表示装置３０等に表示される画面の一例を図５に示す。
【０１２２】
図５（ａ）には、ユーザであるＡさんがこれから歌唱しようとしている演奏曲、または、現在歌唱している最中の演奏曲の曲名が表示される。
【０１２３】
また、演奏曲の曲名と共に、演奏曲のコード進行情報が、演奏曲における少なくとも一つの小節からなる区間である、Ａメロ、Ｂメロ、サビ等の区間毎に表示される。
【０１２４】
例えば、図５（ａ）では、Ａメロのコード進行がＣ、Ａｍ、Ｆ、Ｇであることが表示され、Ｂメロのコード進行がＦ、Ｃ、Ｇ、Ｃ、Ｆ、Ｃ、Ｇ、Ｇであること、およびサビ区間のコード進行がＣ、Ｇ、Ａｍ、Ｅ、Ｆ、Ｃ、Ｄｍ、Ｇであることが表示される。
【０１２５】
ここで、他のユーザが割り込みをして、ユーザであるＡさんが歌唱している、または、これから歌唱する演奏曲とコード情報の変化パターンが同一の他の演奏曲をカラオケ装置１６に演奏させ、他の演奏曲を歌唱してカラオケを楽しもうとする場合に、割り込みメドレーで割り込みをかける。
【０１２６】
この割り込みメドレーの割り込みは、操作パネル４６、カラオケ装置１６の遠隔操作装置または遠隔入力装置としての電子装置２２、リモコン装置６４、携帯電話機２８のボタン等の入力部分に割り込みメドレーの割り込み機能を予め割り当てておくことによって実行される。
【０１２７】
カラオケ装置１６において割り込みが許可されると、図５（ｂ）に示される入力画面が映像表示装置３０等に表示される。
【０１２８】
図５（ｂ）に示される入力画面には、カラオケ装置１６を利用することが許可されたユーザかどうかを判断するために、ユーザの識別情報を同定するためのユーザＩＤとユーザパスワードが入力されるための画面が表示される。
【０１２９】
ユーザＩＤとユーザパスワードが入力され、正規の会員等であることがカラオケ装置１６で判断されると、図５（ｃ）に示される画面が映像表示装置３０等に表示される。
【０１３０】
図５（ｃ）には、ユーザであるＡさんが歌唱する、演奏曲とコード情報の変化パターンが同一の他の演奏曲が表示される。
【０１３１】
図５（ｃ）に表示されている選曲番号ＢはＡメロがユーザＡさんが歌唱する演奏曲と同一であることが示され、選曲番号ＣはＢメロがユーザＡさんが歌唱する演奏曲と同一であることが示され、選曲番号ＤはサビがユーザＡさんが歌唱する演奏曲と同一であることが示されている。
【０１３２】
他のユーザが、操作パネル４６、カラオケ装置１６の遠隔操作装置または遠隔入力装置としての電子装置２２、リモコン装置６４、携帯電話機２８のボタン等の入力部分を操作して他の演奏曲を選択することができる。
【０１３３】
また、図５（ｃ）に表示されている選曲番号は、図５（ｂ）で入力されたユーザＩＤとユーザパスワードに基づいて同定されるユーザが過去に選択した演奏曲に基づいて優先的に表示されるようにしてもよい。
【０１３４】
入力されたユーザＩＤ情報はユーザが持つ識別（ID：Identification）情報と関連づけされているので、ネットワークに接続されている電子機器であればユーザの識別情報を入力すれば、いつでもどこでもユーザＩＤ情報によって特定される識別情報に基づいてそのユーザが過去に選択した演奏曲に基づいて他の演奏曲が選別されることが可能になる。
【０１３５】
なお、図４における動作手順を、ハードディスク等の記録媒体に予め記録しておき、或いはインターネット等のネットワークを介して予め記録しておき、これを汎用のマイクロコンピュータ等により読み出して実行することにより、当該汎用のマイクロコンピュータ等を実施形態に係わるＣＰＵとして機能させることも可能である。
【０１３６】
また各電子情報機器間の情報の送受信は有線、無線に限定されず、いずれの方法においても情報の送受信を行うことができる。
【符号の説明】
【０１３７】
１６   ・・・  カラオケ装置
３０   ・・・  映像表示部
１０１・・・  選択部
１０２ ・・・  コード情報抽出部
１０３ ・・・  変化パターン抽出部
１０４ ・・・  演奏曲選別部
１０５ ・・・  出力部
１０６ ・・・  決定部
【図１】
2010224243.tif 000003
【図２】
2010224243.tif 000004
【図３】
2010224243.tif 000005
【図４】
2010224243.tif 000006
【図５】
2010224243.tif 000007